(57)【要約】有効なデータキャリヤを読み取った場合入場者の個別化・選抜装置を作動せしめる読取り装置を備えたアクセスコントロール装置であって、一つの成型体（１６）が当該読取り装置ハウジング（４）の少なくとも前面を少なくとも部分的に被覆する。好ましくは、該成型体（１６）には、該読取り装置ハウジング（４）の上に折り返し重なるような後退部（１７）が配設されている。また、該読取り装置ハウジング（４）は、折り返し重ねられた該成型体（１６）を懸垂取り付けるための上方突出部を有する。
2004510273.tif 000002
【特許請求の範囲】
【請求項１】
有効なデータキャリヤを読み取った場合入場者の個別化・選抜装置を動作させる読取り装置を備えたアクセスコントロール装置であって、一つの成型体（１６）が当該読取り装置ハウジング（４）の少なくとも前面を少なくとも部分的に被覆することを特徴とする、前記アクセスコントロール装置。
【請求項２】
該成型体（１６）には、該読取り装置ハウジング（４）の上に折り返し重なるような後退部（１７）が配設されて成ることを特徴とする、請求項１において記載されたアクセスコントロール装置。
【請求項３】
該読取り装置ハウジング（４）が、折り返し重ねられた該成型体（１６）を懸垂取り付けるための上方突出部を有することを特徴とする、請求項１又は２において記載されたアクセスコントロール装置。
【請求項４】
該読取り装置に複数の非接触型データキャリヤを読み取るための単一のアンテナが配設されることを特徴とする、請求項３において記載されたアクセスコントロール装置。
【請求項５】
読取り装置ハウジング（４）の該該アンテナ受容・装着部（１１）が、折り返し重ねられた該成型体（１６）を懸垂取り付けするための上方突出部を少なくとも部分的に構成することを特徴とする、請求項１ないし４の内のいずれか一項において記載されたアクセスコントロール装置。
【請求項６】
該読取り装置ハウジング（４）の該アンテナ装着部（１１）が、該読取り装置ハウジング（４）の前部を構成することを特徴とする、請求項５において記載されたアクセスコントロール装置。
【請求項７】
該読取り装置ハウジング（４）がその前面において、データキャリヤを導入するための挿入スリット（１３）を有することを特徴とする、請求項１ないし６の内のいずれか一項において記載されたアクセスコントロール装置。
【請求項８】
該挿入スリット（１３）が、読取り装置ハウジング（４）の該アンテナ受容部の前面に配設されることを特徴とする、請求項６又は７において記載されたアクセスコントロール装置。
【請求項９】
該成型体（１６）が、データキャリヤを該挿入スリット（１３）内に導入するために該挿入スリット（１３）の領域において一つの間隙部を有することを特徴とする、請求項５又は６において記載されたアクセスコントロール装置。
【発明の詳細な説明】
【０００１】
【産業上の利用分野】
本発明は、有効なデータキャリヤを読み取った場合入場者の個別化・選抜装置を動作させる読取り装置（リーダー）を備えたアクセスコントロール装置に係わる。かかるアクセスコントロール装置は、例えば遊園地などのスポーツ・遊戯施設への入場などのアクセスのために使用される。
【０００２】
【従来の技術】
このようなアクセスコントロール装置の読取り装置は、特に非接触型データキャリヤを読み取るためのアンテナを配設した場合巨大なボックス状となって、見た目にも殆ど魅力は無い。読取り装置の外観を改良するために、読取り装置の巨大なアンテナ部の前部壁面と後部壁面を透明材料を用いて形成することが知られている。また、アンテナ部の前面と背面部を広告やそれに類似した情報面として設計し、これによって巨大なボックス形状から生じる好ましくない視覚印象を、光学情報を知覚させることによって緩和・軽減させることも公知となっている（ＤＥ　１９８　３１　７６７　Ａ１を参照）。
【０００３】
【特許文献１】独国特許出願公開第１９８　３１　７６７号明細書
【０００４】
更には、かかるアクセスコントロール装置が作動していない場合は、種々の環境汚染の影響から保護するためにフィルム材料製の保護カバーを掛けることも公知である。
【０００５】
【発明が解決しようとする課題】
かくして本発明の課題は、視覚的に魅力あるアクセスコントロール装置を安価に作製・提供することである。
【０００６】
【課題を解決するための手段】
かかる課題は、請求項１において特徴づけられたアクセスコントロール装置によって達成される。また従属請求項においては、本発明に従ったアクセスコントロール装置の有利な実施態様が記載されている。
【０００７】
【発明の実施の好ましい態様】
本発明に従えば、当該読取り装置ハウジングの少なくとも前面が、成型体によって被覆される。この目的のために、該成型体には好ましくは、該読取り装置ハウジングの上に折り返し重なることが可能であるような後退部が配設される。又はその代わりに、該成型体は、例えば該読取り装置ハウジングに嵌り合うネジ、クリップ、ベルクロバンドなどによって読取り装置ハウジングに取り付けることも出来る。
【０００８】
該成型体の設計は好ましくは、本発明に従ったアクセスコントロール装置によって入場可能であるスポーツ・遊戯施設の構造、例えば遊園地のテーマに適合させられるものである。
【０００９】
例えば、おとぎ話公園の入口では、かかる成型体は、おとぎ話の登場人物の頭部、又は入場止めブロック、フットボールなどから構成してもよい。このことによって、入場者は入場と同時に、遊園地又はエベントのその都度のテーマを楽しむ気分にさせられ、その結果一層多くの入場者が殺到してもこれに対応することが可能となるのである。その理由は、この種の公園は、相互に隣接して配設された入場通路を多数有している場合が多いからである。
【００１０】
かかる成型体は別にして、本発明に従えば入場コントロール装置は、全く変更を加えることはなく、そのままであってよい。従って、相当する成型体を作製しさえすればよく、またかかる成型体の作製も僅かなコストを伴うに過ぎない。
【００１１】
かかる成型体は、任意の材料、例えば混凝紙や木材などを材料として作製すればよく、また中空でない密な状態か又は中空状態に形成すればよい。しかしながら、該成型体は好ましくは、プラスチックス製とする。なおこのプラスチックスは、発泡状又は未発泡状の何れかであればよい。この成型体に突出部がある場合は、従って例えば鼻や耳をつけた人物像として形成した場合は、傷害の危険性を回避するために、ゴム弾性材料製としてもよい。
【００１２】
かかる成型体は、少なくとも入場時に可視状態となる読取り装置ハウジングの前面を可能な限り完璧に被覆する。読取り装置上に折り返し重ねられた成型体を支持・担持するために、概成型体は、少なくとも読取り装置ハウジングの後部面の一部と係合するのが好ましい。即ち、読取り装置ハウジングは好ましくは、折り返し重ねられた成型体と係合する上方突出部を有するように形成され、かくして読取り装置ハウジングの該上方突出部が、該成型体の後退部と下方から係合して、その結果該成型体が、この読取り装置ハウジングの突出部に懸垂取付けされることになる。懸垂取り付けされた成型体が、この位置で固定されるためには、従って揺動しないようにするためには、該成型体の後退部は、読取り装置ハウジングの上方突出した懸垂取り付け部の形状に適合させられる。
【００１３】
トランスポンダーを備えた非接触型のデータキャリヤを使用した場合、読取り装置ハウジングのアンテナ装着部が、上方突出部を形成してもよく、これに折り返し重ねた成型体を懸垂取り付けする。読取り装置ハウジングのアンテナ装着部は、一般的には平面であり、従ってプレート状に、特にディスク状又は鉢形状に形成される。当該成型体に頭部がついている場合は、ディスク形状又は鉢形状が、特に有利である。
【００１４】
しかしながら、読取り装置は、受動データキャリヤ、例えば磁気ストライプ及び／又はバーコード付きカード又は接触型スマートカードを読み取るように設計することも出来る。かかる読取り装置には、次にカードを挿入するための挿入スリットを設ける。この読取り装置にはまた、非接触型データキャリヤ、従ってアンテナを備えたデータキャリヤを読み取るために、また受動データキャリヤ、従って挿入スリットを備えたデータキャリヤを読み取るためにも設けられる。
【００１５】
次に、挿入スリットを好ましくは、読取り装置ハウジングの、アンテナ取り付けする前部の前面に設けるのである。
【００１６】
このようなデータキャリヤを挿入スリットに導入させるために、成型体には、当該センサーの領域に開口部を設ける。この際、開口部は、視覚的に成型体と一体としてもよく、従って例えば成型体を頭部として形成した場合は、開口部は、口腔部を構成するものとすればよい。
【００１７】
本発明に従ったアクセスコントロール装置は、各入場通路毎に読取り装置一機を設ければよい。しかしながら、二つの入場通路の間に一機の読取り装置を設置することも出来る。
【００１８】
【実施例】
以下において、本発明に従ったアクセスコントロール装置の一つの実施態様を図面を参照することによって実施例としてさらに詳細に説明することとする。
【００１９】
添付図によれば、矢印２で概略図示した例えば遊園地への入場通路に設けたアクセスコントロール装置１は、ハウジング４に読取り装置を一基設置しており、これによって、有効な、従って入場認証権でコード化されたデータキャリヤを読み取る場合、入場者個別化・選抜装置が作動せしめられ、即ち回転木戸５が解除されるのである。読取り装置ハウジング４は、入場方向に斜めに回転しに配置される。
【００２０】
回転木戸５が回転可能に取り付けされたハウジング６は、二本のスタンドパイプを備えたスタンドに高さ調節可能に固定される。
【００２１】
ハウジング４の中の読取り装置は、スタンドのバー６，７の上のコンソール上に配置される。この読取り装置は、非接触型のデータキャリヤを読み取るために、従ってトランスポンダーを読み取るために設計・形成される。その目的のために、ディスク形状又は鉢形状とした、ハウジング４の前面部に配置されるアンテナを有する。
【００２２】
ディスク状であって、若干湾曲した前部１１は、読取り装置ハウジングのハウジング後部１２に固定されるが、その際前部１１が、後部１２よりも上方に且つその両側において突出するように固定する。
【００２３】
ハウジング４内の読取り装置によって、受動データキャリヤは直ちに読み取りを行なうことが出来ることになる。この目的のために、ハウジングの前部１１は、その前面部において挿入スリット１３を有しており、その中に受動データキャリヤを挿入すればよい。
【００２４】
信号灯１４は、ハウジングの前部１１から離してハウジングの後部１２のバー１５に取り付ける。
【００２５】
読取り装置ハウジング４の上に、コメディアンの頭部に設計・形成された成型体１６を折り返し重ねる。この成型体１６は、この目的のために下方に開放した内部後退部を有する。
【００２６】
取り装置ハウジング４の前部１１の上に内部後退部１７によって設置した成型体１６は、入場通路２から可視状態となっている読取り装置ハウジング４の表面を完全に被覆する。この読取り装置ハウジング４の全体に渉って折り返し重ねられた成型体１６を支持・担持するために、該成型体は、ハウジング前部１１の後面側のうちの上方と側面に突出する部分とも係合する、即ち通行信号灯を設けたバー１５とハウジングの後部１１との間で係合する。図３によれば、成型体１６の後退部１７は、ハウジング前部１１のうち、後部１２から上方に（且つ側方に）突出する領域の輪郭と適合・合致する。頭部として設計・形成された成型体１６は、挿入スリット１３の領域において、一つの後退部、即ち該頭部の口蓋部を形成する開口部を一つ有するのである。
【図面の簡単な説明】
【図１】成型体を設けないアクセスコントロール装置の前面図である。
【図２】成型体を読取り装置上に折り返し重ねて設けたアクセスコントロール装置の対応する図である。
【図３】図２に示す成型体を直線ＩＩＩ−ＩＩＩに沿って切断したアクセスコントロール装置の側面図である。
2004510273.tif 000003
【図２】
2004510273.tif 000004
【図３】
2004510273.tif 000005
【国際公開パンフレット】
2004510273.tif 000006
2004510273.tif 000007
2004510273.tif 000008
2004510273.tif 000009
2004510273.tif 000010
2004510273.tif 000011
2004510273.tif 000012
2004510273.tif 000013
2004510273.tif 000014
2004510273.tif 000015
2004510273.tif 000016
【国際調査報告】
2004510273.tif 000017
2004510273.tif 000018
2004510273.tif 000019
2004510273.tif 000020